(57)【要約】【課題】ＩＰＰを使用したネットワーク印刷システムにおいて、印刷物の受取人に対し、印刷が完了した旨をわかりやすい内容で自動的に通知する。【解決手段】ＩＰＰを使用した少なくとも情報処理装置とデバイスを含むネットワーク印刷システムにおいて、情報処理装置は、印刷を要求する際に印刷受取人の氏名、電子メールアドレス、送信者の氏名を付加する手段を備え、デバイスは、印刷要求を受信した際に受け取った上記情報をもとに印刷物受取人に対し電子メールを送信する手段を備える。【選択図】図１
2007090713.tif 000002
【特許請求の範囲】
【請求項１】
少なくとも情報処理装置及びデバイスを含むＩＰＰを使用したネットワーク印刷システムであって、
上記情報処理装置は、
上記デバイスに対してネットワークを介して印刷ジョブを依頼するためのＩＰＰプロトコル制御手段と、
印刷ジョブの受取人の電子メールアドレスを入力することを可能とする入力手段と、
上記入力手段により入力された電子メールアドレスを上記ＩＰＰプロトコル制御手段によって上記デバイスに送信される印刷指示オペレーションに付加して印刷ジョブを送信し、
また、上記デバイスは、
上記情報処理装置からのネットワークを介して依頼されたジョブを処理するＩＰＰプロトコル制御手段と、
印刷ジョブを適切に処理し紙などに印字する印字手段と、
上記情報処理装置の上記印刷指示オペレーションに付加された上記入力手段により入力された電子メールアドレスを保持する記憶手段と、
上記記憶手段により記憶された受取人の電子メールアドレス宛てに電子メールを送信する電子メール送信手段とを
備えることを特徴とするネットワーク印刷システム。
【請求項２】
上記情報処理装置は、ＩＰＰのＳｕｂｓｃｒｉｐｔｉｏｎ登録手段を備え、Ｓｕｂｓｃｒｉｐｔｉｏｎ  Ｔｅｍｐｌａｔｅ  Ａｔｔｒｉｂｕｔｅｓのｎｏｔｉｆｙ−ｒｅｃｉｐｉｅｎｔ−ｕｒｉ属性に受取人の電子メールアドレスを設定し、
また、上記デバイスの上記記憶手段は、上記情報処理装置からのＳｕｂｓｃｒｉｐｔｉｏｎ登録を処理しＳｕｂｓｃｒｉｐｔｉｏｎオブジェクトを生成し記憶しておく手段であり、上記電子メール送信手段はＩＰＰのｍａｉｌｔｏデリバリメソッドであることを特徴とする請求項１記載のネットワーク印刷システム。
【請求項３】
上記情報制御装置は、
上記入力手段は、受取人の電子メールアドレスだけでなく、受取人の他の情報や印刷ジョブ発信者の情報を入力することを可能とし、
上記入力手段により入力された受取人の電子メールアドレス以外の情報をＳｕｂｓｃｒｉｐｔｉｏｎ  Ｔｅｍｐｌａｔｅ  Ａｔｔｒｉｂｕｔｅｓのｎｏｔｉｆｙ−ｕｓｅｒ−ｄａｔａ属性に設定し、
上記デバイスは、上記ｎｏｔｉｆｙ−ｕｓｅｒ−ｄａｔａに設定された情報を、上記Ｓｕｂｓｃｒｉｐｔｉｏｎオブジェクト内に記憶し、電子メールの内容に上記情報を含めて上記電子メール送信手段により印刷ジョブ受取人に送信することを特徴とする請求項１又は２記載のネットワーク印刷システム。
【請求項４】
上記情報処理装置の上記入力手段で入力する情報に、受取人の氏名、発信人の氏名を含むことを特徴とする請求項３記載のネットワーク印刷システム。
【発明の詳細な説明】
【技術分野】
【０００１】
本発明は、インターネット、イントラネット上の離れたデバイスに対しデータの印刷が可能なネットワーク印刷システムに関する。
【背景技術】
【０００２】
従来のネットワーク印刷システムにおいては、Ｉｎｔｅｒｎｅｔ  Ｐｒｉｎｔｉｎｇ  Ｐｒｏｔｏｃｏｌ（以下ＩＰＰと称す）が標準化され、インターネット、イントラネットを介した遠く離れたデバイスに対し印刷が可能となっている。この技術は、特に遠く離れた受取人に即座に文書や画像を送信することを可能としている。
【特許文献１】特開平５−１９１４５０号公報
【発明の開示】
【発明が解決しようとする課題】
【０００３】
しかしながら、遠く離れたデバイスに印刷をする場合に、受取人に文書や画像を送信したことを知らせる場合、発信人が別途電子メールなどで知らせていたり、電話などの通信手段を利用していることもあり、ユーザの作業量が多い。
【０００４】
そこで、本発明は、上記問題点を除去するために成されたもので、印刷ジョブごとに受取人の電子メールアドレスや、受取人の氏名、発信人の氏名やその他の情報を付加して印刷を行うことにより、受取人に対して、わかりやすい電子メールを自動で送信することが可能とすることを目的としている。また、上記目的を標準化されているＲＦＣ２９１１等に定義されているＩＰＰ規約の範囲内で行うことにより、ＩＰＰ機能を有する様々なベンダーの製品間の相互接続性を保ったまま、本発明を実施することが可能である。
【課題を解決するための手段】
【０００５】
斯かる目的下において、
第１の発明は、
少なくとも情報処理装置及びデバイスを含むＩＰＰを使用したネットワーク印刷システムであって、
上記情報処理装置は、
上記デバイスに対してネットワークを介して印刷ジョブを依頼するためのＩＰＰプロトコル制御手段と、
印刷ジョブの受取人の電子メールアドレスを入力することを可能とする入力手段と、
上記入力手段により入力された電子メールアドレスを上記ＩＰＰプロトコル制御手段によって上記デバイスに送信される印刷指示オペレーションに付加して印刷ジョブを送信し、
また、上記デバイスは、
上記情報処理装置からのネットワークを介して依頼されたジョブを処理するＩＰＰプロトコル制御手段と、
印刷ジョブを適切に処理し紙などに印字する印字手段と、
上記情報処理装置の上記印刷指示オペレーションに付加された上記入力手段により入力された電子メールアドレスを保持する記憶手段と、
上記記憶手段により記憶された受取人の電子メールアドレス宛てに電子メールを送信する電子メール送信手段とを
備えることを特徴とする。
【０００６】
第２の発明は、
上記第１の発明において、
上記情報処理装置は、ＩＰＰのＳｕｂｓｃｒｉｐｔｉｏｎ登録手段を備え、Ｓｕｂｓｃｒｉｐｔｉｏｎ  Ｔｅｍｐｌａｔｅ  Ａｔｔｒｉｂｕｔｅｓのｎｏｔｉｆｙ−ｒｅｃｉｐｉｅｎｔ−ｕｒｉ属性に受取人の電子メールアドレスを設定し、
また、上記デバイスの上記記憶手段は、上記情報処理装置からのＳｕｂｓｃｒｉｐｔｉｏｎ登録を処理しＳｕｂｓｃｒｉｐｔｉｏｎオブジェクトを生成し記憶しておく手段であり、上記電子メール送信手段はＩＰＰのｍａｉｌｔｏデリバリメソッドであることを特徴とする。
【０００７】
第３の発明は、
上記第１又は第２の発明において、
上記情報制御装置は、
上記入力手段は、受取人の電子メールアドレスだけでなく、受取人の他の情報や印刷ジョブ発信者の情報を入力することを可能とし、
上記入力手段により入力された受取人の電子メールアドレス以外の情報をＳｕｂｓｃｒｉｐｔｉｏｎ  Ｔｅｍｐｌａｔｅ  Ａｔｔｒｉｂｕｔｅｓのｎｏｔｉｆｙ−ｕｓｅｒ−ｄａｔａ属性に設定し、
上記デバイスは、上記ｎｏｔｉｆｙ−ｕｓｅｒ−ｄａｔａに設定された情報を、上記Ｓｕｂｓｃｒｉｐｔｉｏｎオブジェクト内に記憶し、電子メールの内容に上記情報を含めて上記電子メール送信手段により印刷ジョブ受取人に送信することを特徴とする。
【０００８】
第４の発明は、
上記第３の発明において、
上記情報処理装置の上記入力手段で入力する情報に、受取人の氏名、発信人の氏名を含むことを特徴とする。
【発明の効果】
【０００９】
本発明によれば、リモートデバイスに文書を印刷する場合、文書の受取人に対し、発信者の氏名、受取人の氏名、および文書名等が明記した電子メールが送信されるため、文書の受取人は、文書が到着したことや、発信者の氏名を即座に容易に知ることができるという効果がある。
【００１０】
インターネットを介した場合には、遠く離れたリモートデバイスに文書を印刷する場合に、自動的に受取人に通知されるため、発信者の負担を削減し、さらに、電話連絡等を行う必要がなくなるため通信コストの削減に特に効果がある。
【００１１】
また、ネットワークを介したリモート印刷のプロトコルとしてＲＦＣ２９１１等により標準化されているＩｎｔｅｒｎｅｔ  Ｐｒｉｎｔｉｎｇ  Ｐｒｏｔｏｃｏｌ（ＩＰＰ）を採用しているため、ＩＰＰ機能を備える情報処理装置およびデバイス間の相互接続性を損なわないという効果がある。
【発明を実施するための最良の形態】
【００１２】
以下、本発明のネットワーク印刷システムの実施例を図面を参照して説明する。
【実施例】
【００１３】
図１は、本発明のネットワーク構成の例を示す図である。
【００１４】
図１において、情報処理装置１０１は、本発明においては印刷ジョブを発信するプリンタデバイス１０２に対し、印刷ジョブを発行する。情報処理装置１０１とプリンタデバイス１０２は、ローカルエリアネットワーク（以下、ＬＡＮと称す）１０５および１０６にそれぞれ接続されており、ＬＡＮ１０５および１０６はファイアウォール１０８、および１０９をそれぞれ介してインターネット１０７につながっている。メールサーバ１０３は、プリンタデバイス１０２から送信される電子メールをＳＭＴＰプロトコルで処理する。ノートＰＣ１０４は、メールサーバ１０３からメールを受信し、ユーザに表示する。
【００１５】
図９は、本実施例におけるプリンタデバイス１０２のソフトウェアブロック図である。
【００１６】
受信部９０１は、ＬＡＮ１０６を流れるデータからプリンタデバイス１０２で受信すべきパケットを選択して受信する。ＩＰＰプロトコル処理部９０２は、ＩＰＰのプロトコル規約に従って受信するデータを処理し印刷データをプリントアプリケーション部に渡す処理を行う。プリントアプリケーション部９０３は、受信する印刷データを画像印字部９０５に的確に渡す処理を行う。画像印字部９０５では、渡された印刷データを再形成し紙などに印字する処理を行う。ジョブイベント発行部９０４は、画像印字中のジョブの状態の変化を監視し、状態に変化があった場合にジョブイベント解析部９０７に内部イベントを発行する。記憶部９０６は、処理中のジョブに関する様々な情報を保持しておく。ジョブイベント解析部９０７は、受信した内部イベントを解析し、記憶部９０６に記憶されている情報と照合して適切な処理を行う。電子メール作成部９０８は、ジョブイベント解析部９０７からの依頼により、電子メールを作成する。ＳＭＴＰ処理部９０９は、電子メール作成部９０８により作成された電子メールをＳＭＴＰプロトコルの規約に従って送信する処理を行う。送信部９１０は、送信すべきデータを適切なパケットとしてＬＡＮ上に送信する役目を果たす。
【００１７】
図２は、本実施例における情報処理装置１０１の画面上に表示される、ダイアログボックスである。
【００１８】
図３は、本実施例における情報処理装置１０１が、Ｐｒｉｎｔ−Ｊｏｂオペレーションをプリンタデバイス１０２に発行する際に、Ｐｒｉｎｔ−Ｊｏｂオペレーションに付加されるＳｕｂｓｃｒｉｐｔｉｏｎ  Ｔｅｍｐｌａｔｅ属性の一覧である。
【００１９】
図中の３０１に示す行は、Ｓｕｂｓｃｒｉｐｔｉｏｎ  Ｔｅｍｐｌａｔｅ属性の種類を示しており、３０２に示す行は、それぞれの属性に対応する値を示している。
【００２０】
図６は、本実施例における情報処理装置１０１の印刷指示動作を示すフローチャートである。
【００２１】
以下、本実施例における情報処理装置１０１の印刷指示動作を、図２、図３および図６を用いて説明する。
【００２２】
情報処理装置１０１のユーザが印刷ジョブをプリンタデバイス１０２に送信する際に、情報処理装置１０１に印刷開始イベントが発生する。情報処理装置１０１は、図６のＳ１００１において、印刷開始イベントを取得すると、Ｓ１００２に進み、図２に示す情報入力ダイアログ２００を画面上に表示する。図２において、テキストボックス２０１は、印刷ジョブの受取人の氏名を入力するためのエリアである。また、テキストボックス２０２は、印刷ジョブの受取人の電子メールアドレスを入力するためのエリアである。さらに、テキストボックス２０３は発信者の氏名を入力するためのエリアである。図２は、受取人氏名に「Ｈａｒｒｙ  Ｐｏｔｔｅｒ」、受取人電子メールアドレスに「ｈａｒｒｙ＠ａｂｃ．ｃｏ．ｊｐ」、発信人氏名に「山田太郎」をユーザが入力した場合の例である。また、ＯＫボタン２０４を押下すると、テキストボックス２０１、２０２、２０３に入力された情報を受け入れる。キャンセルボタン２０５を押下すると、入力された情報は受け入れない。
【００２３】
ユーザが、テキストボックス２０１、２０２、２０３にそれぞれ受取人氏名、受取人電子メールアドレス、発信者氏名を入力し、ＯＫボタン２０４を押下した場合は、Ｓ１００３において、受取人に電子メールを送信すると判断し、Ｓ１００４へ進みそれぞれの情報を取得する。
【００２４】
その後、Ｓ１００５へ進み、取得した受取人の電子メールアドレスを、図３に示すＳｕｂｓｃｒｉｐｔｉｏｎ  Ｔｅｍｐｌａｔｅ属性の中のｎｏｔｉｆｙ−ｒｅｃｉｐｉｅｎｔ−ｕｒｉ属性３０３に設定する。図３の例では、「ｍａｉｌｔｏ：ｈａｒｒｙ＠ａｂｃ．ｃｏ．ｊｐ」という文字列として設定されている。この文字列において、「ｍａｉｌｔｏ：」の部分は、情報処理装置１０１が自動的に付加する文字列であり、通知方法が電子メールであることを示している。また、「ｈａｒｒｙ＠ａｂｃ．ｃｏ．ｊｐ」の部分は、図２におけるテキストボックス２０２で入力された受取人電子メールアドレスである。
【００２５】
Ｓ１００５の処理が終了するとＳ１００６へ進み、Ｓ１００４において取得した受取人氏名および発信人氏名を、図３のｎｏｔｉｆｙ−ｕｓｅｒ−ｄａｔａ属性３０４に設定する。本実施例においては、ｎｏｔｉｆｙ−ｕｓｅｒ−ｄａｔａ属性の値の形式は、「発信人氏名：受取人氏名」という形式で設定される。図３の例では、発信人氏名が「山田太郎」であり、受取人氏名が「Ｈａｒｒｙ  Ｐｏｔｔｅｒ」であることを示している。
【００２６】
Ｓ１００６の処理が終了すると、Ｓ１００７に進み、図３のｎｏｔｉｆｙ−ｅｖｅｎｔｓ属性３０５に、値‘ｊｏｂ−ｃｏｍｐｌｅｔｅｄ’を設定する。この値は、印刷ジョブの印刷が完了した時点で、ｎｏｔｉｆｙ−ｒｅｃｉｐｉｅｎｔ−ｕｒｉ属性３０３に設定されている電子メールアドレス宛てに、電子メールアドレスを送ることを、プリンタデバイス１０２に指示することを意味している。
【００２７】
図３において、その他の属性は情報処理装置１０１が自動的に設定する。
【００２８】
Ｓ１００７の処理が終了するとＳ１００８へ進み、Ｓ１００８では図３に示すＳｕｂｓｃｒｉｐｔｉｏｎ  Ｔｅｍｐｌａｔｅ属性をＰｒｉｎｔ−Ｊｏｂオペレーションに付加して発行し、印刷ジョブのデータを送信する。
【００２９】
Ｓ１００９では、Ｓ１００８で発行したＰｒｉｎｔ−Ｊｏｂオペレーションに対するプリンタデバイス１０２からの応答を受信し、Ｓ１００１への処理へと戻る。
【００３０】
Ｓ１００２において、ユーザがキャンセルボタン２０５を押下した場合、図６のＳ１００３において、受取人に電子メールアドレスを送信しないと判断し、Ｓ１００８へジャンプし、Ｓｕｂｓｃｒｉｐｔｉｏｎ  Ｔｅｍｐｌａｔｅ属性を付加しないでＰｒｉｎｔ−Ｊｏｂオペレーションを発行する。Ｐｒｉｎｔ−ＪｏｂオペレーションにＳｕｂｓｃｒｉｐｔｉｏｎ  Ｔｅｍｐｌａｔｅ属性を付加しない場合は、プリンタデバイス１０２において電子メール送信は行われない。
【００３１】
次に本実施例におけるプリンタデバイス１０２の動作について説明する。
【００３２】
図４は、プリンタデバイス１０２の記憶部９０６にて保持するＳｕｂｓｃｒｉｐｔｉｏｎオブジェクトに含まれるＳｕｂｓｃｒｉｐｔｉｏｎオブジェクト属性の一覧の例である。
【００３３】
図５は、プリンタデバイス１０２からメールサーバ１０３経由で受取人ノートＰＣ１０４に送信される電子メールの内容の一例である。
【００３４】
本実施例におけるプリンタデバイス１０２のＩＰＰオペレーション処理動作を図７のフローチャートを用いて説明する。
【００３５】
Ｓ１１０１において、プリントアプリケーション部９０３は、ＩＰＰオペレーションを受信するとＳ１１０２へ進み、受信したＩＰＰオペレーションがＰｒｉｎｔ−Ｊｏｂオペレーションかを判断する。Ｐｒｉｎｔ−Ｊｏｂオペレーションではないと判断した場合は、Ｓ１１０８へ進み、適切な処理を行った後、Ｓ１１０１へ戻り、ＩＰＰオペレーション受信待ちとなる。
【００３６】
Ｓ１１０２においてＰｒｉｎｔ−Ｊｏｂオペレーションであると判断した場合、Ｓ１１０３へ進みＰｒｉｎｔ−Ｊｏｂオペレーションの中にＳｕｂｓｃｒｉｐｔｉｏｎ  Ｔｅｍｐｌａｔｅ属性が存在するか否かを判断する。Ｓ１１０３において存在しないと判断した場合、Ｓ１１０５へ進み、画像印字部９０５を使用して印刷ジョブの印字を行う。また、Ｓ１１０３において存在すると判断した場合には、Ｓ１１０４へ進み、印刷ジョブに対応するＳｕｂｓｃｒｉｐｔｉｏｎオブジェクトを記憶部９０６に生成し保持する。
【００３７】
図４は、本実施例におけるＳ１１０４で生成されたＳｕｂｓｃｒｉｐｔｉｏｎオブジェクトに含まれる属性の一覧の一例である。
【００３８】
図中の４０１に示す行は、Ｓｕｂｓｃｒｉｐｔｉｏｎオブジェクト属性の種類を示す。また、４０２に示す行は、それぞれの属性に対応した値を示している。
【００３９】
情報処理装置１０１が、図３に示すＳｕｂｓｃｒｉｐｔｉｏｎ  Ｔｅｍｐｌａｔｅ属性をＰｒｉｎｔ−Ｊｏｂオペレーションに含めて印刷を要求した場合、プリンタデバイス１０２の記憶部９０５に保持されるＳｕｂｓｃｒｉｐｔｉｏｎオブジェクト属性は図４の例のようになる。図４において、ｎｏｔｉｆｙ−ｒｅｃｉｐｉｅｎｔ−ｕｒｉ属性４０３、ｎｏｔｉｆｙ−ｅｖｅｎｔｓ属性４０５、ｎｏｔｉｆｙ−ｕｓｅｒ−ｄａｔａ属性４０４の値は、図３で設定された値と同値となる。
【００４０】
Ｓ１１０４においてＳｕｂｓｃｒｉｐｔｉｏｎオブジェクトが生成された後に、Ｓ１１０５へ進み画像印字部９０５を使用して印刷ジョブの印字を行う。Ｓ１１０５においては、印刷ジョブの印字を行うと同時に、ジョブイベント発行部９０４にてジョブの状態を監視し、状態に変化があった場合にプリンタデバイス１０２のジョブイベント解析部に対し、ジョブの状態の変化をイベントとして発行する。
【００４１】
Ｓ１１０５において印刷ジョブの印字が完了したら、Ｓ１１０６へ進み記憶部９０６に印字したジョブのＳｕｂｓｃｒｉｐｔｉｏｎオブジェクトが存在するか否かを判断する。Ｓ１１０６において存在しないと判断した場合は、Ｓ１１０１へ戻り、ＩＰＰオペレーション受信待ちとなる。
【００４２】
Ｓ１１０６において、存在すると判断した場合、そのＳｕｂｓｃｒｉｐｔｉｏｎオブジェクトを削除し、Ｓ１１０１へ戻り、ＩＰＰオペレーション受信待ちとなる。
【００４３】
次に本実施例におけるジョブイベント解析部９０７の電子メール送信動作について図８のフローチャートを用いて説明する。
【００４４】
図７のＳ１１０５において印刷ジョブの状態が変化した場合、図８のＳ１２０１においてジョブイベント解析部９０７がジョブイベントを受信し、Ｓ１２０２へ進む。Ｓ１２０２では、受信したジョブイベントの種類とジョブ識別子が、記憶部９０６内に保持されているＳｕｂｓｃｒｉｐｔｉｏｎオブジェクトのｎｏｔｉｆｙ−ｅｖｅｎｔｓ属性の値とｎｏｔｉｆｙ−ｊｏｂ−ｉｄ属性の値にそれぞれ合致するオブジェクトが存在するが否かを判断する。存在しないと判断した場合は、Ｓ１２０１へ戻り再びジョブイベント待ち状態となる。
【００４５】
Ｓ１２０２において、存在すると判断した場合には、Ｓ１２０３へ進み、Ｓｕｂｓｃｒｉｐｔｉｏｎオブジェクト内のｎｏｔｉｆｙ−ｕｓｅｒ−ｄａｔａ属性の値を用いて電子メール作成部９０８において電子メールの内容を作成する。本実施例では図４において、ｎｏｔｉｆｙ−ｅｖｅｎｔｓ属性の値がｊｏｂ−ｃｏｍｐｌｅｔｅｄとなっているため、印刷ジョブの印字が終了した時点で発行されるｊｏｂ−ｃｏｍｐｌｅｔｅｄイベントを受信した場合に、Ｓ１２０３に進むことになる。
【００４６】
図４に示す属性値から作成される電子メールの内容の一例が図５である。電子メールの内容の作成が終了するとＳ１２０４へ進み、ＳＭＴＰ処理部９０９にてｎｏｔｉｆｙ−ｒｅｃｉｐｉｅｎｔ−ｕｒｉ属性に格納されている受取人の電子メールアドレス宛てにメールサーバ１０３を介して電子メールを送信し、Ｓ１２０１へ戻り、再びジョブイベント待ちとなる。
【００４７】
［他の実施例］
図２において、入力する情報は、受取人氏名、受取人電子メールアドレス、発信人氏名の３種類であるが、発信人の電話番号などの情報を加えてもよい。
【００４８】
また、発信人の情報は、あらかじめ記憶しておくことも可能であり、ユーザが印刷指示ごとに情報を入力する手間を省くようにしてもよい。
【００４９】
また、上記実施例では、印刷ジョブの印字が終了した時点でのみ受取人に電子メールが送信されるが、印刷ジョブの他の状態変化条件で電子メールを送信するようにしてもよい。例えば、プリンタデバイス１０２がジョブの受信を開始した時点で電子メールを送信してもよいし、印字中に紙切れ、紙ジャムが発生した場合にも受取人にその旨を知らせる電子メールを送信するようにしてもよい。
【００５０】
さらに、上記実施例では、プリンタデバイスを例として説明しているが、複合機（ＭＦＰ）などであってもよい。
【図面の簡単な説明】
【００５１】
【図１】本発明の実施例におけるネットワーク構成の例を表す模式図
【図２】本実施例における情報処理装置１０１のモニタ画面上に表示される情報入力ダイアログボックスの一例を表す図
【図３】本実施例における情報処理装置１０１が、Ｐｒｉｎｔ−Ｊｏｂオペレーションに付加するＳｕｂｓｃｒｉｐｔｉｏｎ  Ｔｅｍｐｌａｔｅ属性の一覧表を表す図
【図４】本実施例におけるプリンタデバイス１０２が保持するＳｕｂｓｃｒｉｐｔｉｏｎオブジェクトが持つ属性を表す一覧表を表す図
【図５】本実施例におけるプリンタデバイス１０２が送信する電子メールの内容の例を表す図
【図６】本実施例における情報処理装置１０１の印刷指示動作を表すフローチャート
【図７】本実施例におけるプリンタデバイス１０２のＩＰＰオペレーション処理動作を表すフローチャート
【図８】本実施例におけるプリンタデバイス１０２の電子メール送信動作を表すフローチャート
【図９】本実施例におけるプリンタデバイス１０２のソフトウェア構成を表す簿ロック図
【符号の説明】
【００５２】
１０１  情報処理装置
１０２  プリンタデバイス
１０３  メールサーバ
１０４  ノートＰＣ
１０５、１０６  ＬＡＮ
１０７  インターネット
１０８、１０９  ファイアウォール
９０１  受信部
９０２  ＩＰＰプロトコル処理部
９０３  プリントアプリケーション部
９０４  ジョブイベント発行部
９０５  画像印字部
９０６  記憶部
９０７  ジョブイベント解析部
９０８  電子メール作成部
９０９  ＳＭＴＰ処理部
９１０  送信部
【図１】
2007090713.tif 000003
【図２】
2007090713.tif 000004
【図３】
2007090713.tif 000005
【図４】
2007090713.tif 000006
【図５】
2007090713.tif 000007
【図６】
2007090713.tif 000008
【図７】
2007090713.tif 000009
【図８】
2007090713.tif 000010
【図９】
2007090713.tif 000011